(57)【要約】      （修正有）【課題】各種の実弾を使うことなく、疑似的な決闘やハンティングの遊びや競技ができる疑似決闘ピストルカメラシステムを提供する。【解決手段】ピストル型あるいはライフル型デジタルカメラ１にて撮影された画像をクラウド型ＡＩセンター８に送付し、クラウド型ＡＩセンターによる人間や動物が画面の中心部近傍にきているか否かの判定により、人間や動物に当たっているか外れているかを判断して、その結果をデジタルカメラや他の指定されたメディア１５，１６に返すことで、疑似の決闘や疑似のハンティングシステムを構築する。【選択図】図１
2020005740.tif 000002
【特許請求の範囲】
【請求項１】
ピストル型あるいはライフル型デジタルカメラにＷｉ−ＦｉやＬｏＲａＷＡＮ等の通信チップ、マイク＆スピーカー機能を搭載し、ひきがね型のシャッターによる操作にて、該デジタルカメラで撮影された人間や動物の画像及びピストルの発砲音に似せたシャッター音等とをＷｉ−ＦｉやＬｏＲａＷＡＮ等の基地局を介して、ＡＩが搭載されたコンピューターが設置されたＡＩ撮影アシストセンターに送り、該ＡＩが画像のセンター近傍に人物や動物が存在していれば弾が当たったと判断し、そうでなければ弾が外れたと判断し、その結果を該デジタルカメラや他の指定されたメディアに画像情報や音声情報で返すことで、あたかもピストルやライフルから発射された弾が人間や動物に当たったり、当たらなかったりする状況を演出することができる疑似決闘ピストルカメラシステム
【発明の詳細な説明】
【技術分野】
【０００１】
本発明は、Ｗｉ−ＦｉやＬｏＲａＷＡＮ等の通信チップをカメラに搭載し、該カメラの撮影画像や諸情報をＷｉ−ＦｉやＬｏＲａＷＡＮの通信基地局経由でＡＩ撮影アシストセンターに送ることで、該ＡＩ撮影アシストセンターにてＡＩ（人工知能）が撮影画像のブレや適度な明るさに修正したり、芸術性や構図等で価値のある画像であるか等を評価してコンテストを行なったり、各種撮影関連の情報を提供したり、さらに遭難時や道に迷ったときには付近の画像やＧＰＳ情報により、救助隊が迷いなく到達できたり、ＡＩ撮影アシストセンターから周辺の詳しい地図が送付され、正しい道順を教えてもらうことができるシステムに関するものである。
特に、人物が画像のセンター近傍に来ているかどうかを判断することで、カメラをピストル型やライフル型にして、疑似決闘や疑似ハンティングなどの遊びや競技に使用することが可能になるため、疑似的な決闘やハンティングに関する遊びや競技の技術分野と位置付けることができる。
【背景技術】
【０００２】
従来疑似決闘に関する遊びや競技では、当たっても怪我をしない程度の弾を使用するため、遠くには飛ばすに面白みが半減していたり、また遠くに飛ぶ弾はそれなりに危険であり、遊びや競技自体が大幅に普及することはなかった。
また、レーザービームを使用したおもちゃのピストルがあるが、明かるいところでは当たったかどうかが分かりにくく、強い光にすれば目にあたるとダメージがあり、さらに言えば、レーザービームが当たったかどうかの本人の自覚がないため第三者の判定者が必要になるため、これもまた大幅に普及することはなかった。
実際のハンティングに関しては、実弾を使うので流れ弾や誤射の危険が伴う上に、動物を殺傷してしまうため、遊びや競技そのものが成立しにくかった。また、バーチャルリアリティの技術を使用した疑似ハンティングシステムがあるが、ヘッドマウントデスプレイか画像を映しこむ眼鏡を使用せねばならず、そのわずらわしさが存在している。
【先行技術文献】
【特許文献】
【０００３】
【特許文献１】特開２００６−１３６４７２
【発明の概要】
【発明が解決しようとする課題】
【０００４】
疑似決闘や疑似ハンティングの遊びや競技にて、各種の実弾やヘッドマウントデスプレイあるいはメガネ型の画像表示装置等を使わずして、ピストル型あるいはライフル型デジタルカメラにて撮影された画像をクラウド型ＡＩに送付し、該クラウド型ＡＩによる人間や動物が画面の中心部近傍にきているか否かの判定により、人間や動物に当たっているか外れているかを判断して、その結果を該デジタルカメラや他の指定されたメディアに返すことで、疑似の決闘や疑似のハンティングシステムを構築する。
尚、上述の内容で、クラウド型ＡＩに画像を送らずとも、該デジタルカメラ内のＡＩ等でも弾の当否判断は可能であるが、決闘相手や第三者に口頭で当たったかどうかを伝えるようになり、虚偽の申告の可能性もあるため、又遠隔のメディアでの確認ができないため、クラウド型ＡＩを使用した方がより多くの人が楽しめる遊びや競技となる。
【課題を解決するための手段】
【０００５】
ピストル型あるいはライフル型デジタルカメラに、Ｗｉ−ＦｉやＬｏＲａＷＡＮ等の通信チップを搭載し、また該カメラの撮影画像をＷｉ−ＦｉやＬｏＲａＷＡＮの通信基地局経由でＡＩ撮影アシストセンターに送ることで、該ＡＩ撮影アシストセンターにてＡＩ（人工知能）が画像のセンターの近傍に人物や動物が映っているか、それともずれているかを判定し、その結果を該ピストル型カメラあるいは該ライフル型カメラや他のあらかじめ指定されたメディア等に返すことにより、実際にピストルやライフルの弾があたかも当たったかのような、あるいは弾がはずれたかのような状況を多くの人が同時に確認できる、そんな疑似の決闘や疑似のハンティングシステムを構築する。
尚、弾が当たったか当たってないかの判定基準は、レンズの焦点距離やカメラの撮像素子の有効画面サイズの情報を画像と一緒に該ＡＩ撮影アシストセンターに送ることで、該ＡＩが判定基準を自動計算し、異なる機種のピストル型デジタルカメラや異なるレンズ同士でも、同一条件で疑似決闘や疑似ハンティングの競技を行うことが可能となる。
【発明の効果】
【０００６】
本発明により、疑似的な決闘やハンティングの遊びや競技が、各種の実弾を使うことなく、従って動物や誤射による人間へのダメージの可能性がなくなり、またヘッドマウントデスプレイや眼鏡型の画像表示装置等を使うことなく、しかも複数の人が同時期に引き金を引いたとして。0.01秒差等の細かい数値で順位を決めることができ、気軽に遊びや競技を楽しむことが可能になる。また、ピストル型カメラやライフル型カメラを実物のピストルやライフル銃に近いものにすれば、ＡＩによる実弾での重力方向への落下軌跡も計算できるため、警察や自衛隊での初期の実写訓練が可能となり、安全なのでどこでもできるため、より多くの人に訓練をすることが可能になる。
本発明に付随する事項として、クラウド型ＡＩによって、画像のブレや露出補正調整ができたり、連写時に一番残したい画像のみを自動選択してくれる機能も付加することができる他、デジタルカメラ内のメモリー機能を最小にして、クラウド型ＡＩが制御するサーバーに画像を貯めこむことができる。またより客観的なＡＩによる芸術性や話題性等の評価での写真コンテストが、いちいち画像ごとにプリントして申請しなくとも、電子契約によって随時行われるようになり、また撮影に関する情報として、付近の撮影スポット情報や、撮影アングルや撮影条件の画角、絞り、シャッタースピード、ストロボや補助光源の設定などのアドバイスをリアルタイムで得ることができ、さらに遭難時や道に迷ったときにはＧＰＳ情報や付近の画像が自動的にＡＩ撮影アシストセンターに送付されることで、迅速な救助や正しい道順の情報を得ることが可能となり、登山やハイキングでの安全対策の一つにすることが可能となる。
【図面の簡単な説明】
【０００７】
【図１】本発明の概要を示す。
【発明を実施するための形態】
【０００８】
ピストル型あるいはライフル型デジタルカメラにＷｉ−ＦｉやＬｏＲａＷＡＮの通信チップとＧＰＳとを搭載し、さらにスピーカー＆マイク機能を付加し、またＡＩ（人工知能）を搭載した複数のコンピューターが設置されたＡＩ撮影アシストセンターを設立し、市場のピストルやライフル型デジタルタイカメラと撮影アシストセンターとが２４時間での双方向の音声と画像での通信を可能とする。
尚、スピーカー＆マイク機能は、スピーカーと内臓マイクをそのままカメラに付帯させてもよいし、ヘッドホン又はイヤホン、マイク端子のみでもよい。あるいは、スピーカーと内臓マイクとヘッドホン又はイヤホン、マイク端子の混成でも構わないものとする。
【０００９】
図1において、ひきがね型シャッター４を操作すると、ピストル型デジタルカメラ1のレンズ３を通して、人物１４が撮像部２に画像として映し出され、この画像はＷｉ−Ｆｉ通信チップ６によって、Ｗｉ−Ｆｉ通信基地局９経由にて、ＡＩ撮影アシストセンター８に送付される。該ＡＩアシストセンター８内にあるコンピューターに搭載されたＡＩが、該画像のセンター近傍に人物１４が存在しているか否かを判定し、該人物１４が該画像センター近傍に存在していれば弾が当ったと判定し、そうでなければ弾が外れたと判定し、Ｗｉ−Ｆｉ通信基地局９経由にてピストル型デジタルカメラ1やスマートホン１５に、あるいは他のＷｉ−Ｆｉ通信基地局１０経由にて、あらかじめ指定されたスマートホン１５やテレビ１６に、該判定結果が画像情報や音声情報として伝達される。
また、ピストル型デジタルカメラ1には、ＧＰＳ１１が搭載されており、ＬｏＲａＷＡＮ通信チップ５によって、ＬｏＲａＷＡＮ通信基地局７経由にて、ＡＩ撮影アシストセンター８にＧＰＳ情報が送信されるため、ピストル型デジタルカメラ1の紛失や置忘れ時には、指定のスマートホン１５に情報が伝達されるので、簡単に見つけ出すことが可能になる。
さらに、ピストル型デジタルカメラ1には、マイク１２スピーカー１３が搭載されているので、ＡＩ撮影アシストセンター8のＡＩとの会話や、ＡＩ撮影アシストセンター８経由にて、他のメディアとの交信も可能となっている。
【産業上の利用可能性】
【００１０】
本発明により、疑似決闘や疑似ハンティングが、実際の決闘やハンティングと同じ臨場感で行われながら、人間や動物にダメージがないため、気軽にできる遊びや競技として定着していくと考えられる。
また、西部劇のガンマンのように腰にベルトをして、そこにピストル型のデジタルカメラを入れておくと、街中や山道を歩いていての一瞬のシャッターチャンスに素早く対応することが可能となる。この場合は、疑似決闘やハンティングの時よりも、よりワイド系のズームレンズ等を該デジタルカメラに装着しておくと、使いやすくなる。
さらにより客観的な評価での写真コンテストが、いちいち画像ごとに印刷して申請しなくとも、電子契約によって随時行われるようになり、また自分ではイマイチと思っている画像でも、客観的な尺度での評価を自動的にしてもらえるようになる。また、撮影に関する情報として、付近の撮影スポット情報や、撮影アングルや撮影条件の画角、絞り、シャッタースピード、ストロボや補助光源の設定などのアドバイスをリアルタイムで音声情報で得ることができ、また必要に応じ、画角、絞り、シャッタースピード等をＡＩ撮影アシストセンターから適正な条件に自動設定してもらうことも可能になる。さらに遭難時や道に迷ったときにはＧＰＳ情報や付近の画像が自動的にＡＩ撮影アシストセンターに送信されることで、迅速な救助や正しい道順の情報を得ることが可能となり、登山やハイキングでの安全対策の一つにすることが可能となる。
もし、ＬｏＲａＷＡＮ通信チップとその駆動用電池とを耐水性のある状況で設置できれば、もし水没しても通信が可能となるので船が沈没した等の海難事故でも迅速な救助活動が可能となる。
【符号の説明】
【００１１】
１  ピストル型デジタルカメラ
２  デジタルカメラ撮像部
３  レンズ
４  ひきがね型シャッター
５  ＬｏＲａＷＡＮ通信チップ
６  Ｗｉ−Ｆｉ通信チップ
７  ＬｏＲａＷＡＮ通信基地局
８  ＡＩ撮影アシストセンター
９  デジタルカメラ近傍のＷｉ−Ｆｉ通信基地局
10  その他のＷｉ−Ｆｉ通信基地局
11  ＧＰＳ
12  マイク
13  スピーカー
14  人物
15  スマートホン
16  テレビ
【図１】
2020005740.tif 000003
【手続補正書】
【提出日】平成30年11月16日(2018.11.16)
【手続補正１】
【補正対象書類名】特許請求の範囲
【補正対象項目名】全文
【補正方法】変更
【補正の内容】
【特許請求の範囲】
【請求項１】
ピストル型あるいはライフル型デジタルカメラにＷｉ−ＦｉやＬｏＲａＷＡＮ等の通信チップ、マイク＆スピーカー機能を搭載し、該デジタルカメラで撮影された人間や動物の画像をＷｉ−ＦｉやＬｏＲａＷＡＮ等の基地局を介して、ＡＩが搭載されたコンピューターが設置されたＡＩ撮影アシストセンターに送り、該ＡＩが画像のセンター近傍に人物や動物が存在していれば弾が当たったと判断し、そうでなければ弾が外れたと判断し、その結果を該デジタルカメラ及び他の指定されたメディアに画像情報や音声情報で返すことで、あたかもピストルやライフルから発射された弾が人間や動物に当たったり、当たらなかったりする状況を演出することができる疑似決闘ピストルカメラシステム。